(57)【要約】【課題】熱交換器にセンサを取付け温度検知する冷蔵庫において、センサの取付け作業性の向上とリード線のフィン端面への接触防止を図る。【解決手段】センサ取付具４０に、熱交換器３４の熱交換器側面最外側のフィン３４ａと配管３４ｂの曲げ部の間に取付具挿入方向側に傾斜を設けた弾性部４３を構成し、圧入することにより、容易に挿入することができると共に、フィン３４ａにセンサ３９を密着させることが可能となる。また、リード線ガイド４５、配線部４６により、リード線の向きを変え、保護することにより、フィン端部への接触を防止でき、二重安全構造をとる必要がなく直材を低減できる。【選択図】図２
2005055054.tif 000002
【特許請求の範囲】
【請求項１】
複数枚の熱交換フィンに1往復以上する蛇行状の冷媒配管を貫通してなる熱交換器と、前記熱交換器の温度を検知するセンサと、前記センサを熱交換器に取付ける取付具とからなり、前記取付具は弾性に富む樹脂製で、熱交換器の配管を挟み込み、取付具を熱交換器に保持する保持部と、熱交換器側面最外側のフィンと冷媒配管の曲げ部の間に挿入時、センサをフィンに押し当てる方向に弾性力をもつ弾性部とを有し、前記弾性部の取付具挿入方向側に傾斜を設けることを特徴とする冷蔵庫。
【請求項２】
複数枚の熱交換フィンに1往復以上する蛇行状の冷媒配管を貫通してなる熱交換器と、前記熱交換器の温度を検知するセンサと、前記センサを熱交換器に取付ける取付具とからなり、前記取付具は弾性に富む樹脂製で、熱交換器の配管を挟み込み、取付具を熱交換器に保持する保持部と、熱交換器側面最外側のフィンと冷媒配管の曲げ部の間に挿入時、センサをフィンに押し当てる方向に弾性力をもつ弾性部を有し、センサリード線出口部から３ｍｍ以上離れたところにガイドを有し、センサリード線の向きを変えたことを特徴とする冷蔵庫。
【請求項３】
複数枚の熱交換フィンに1往復以上する蛇行状の冷媒配管を貫通してなる熱交換器と、前記熱交換器の温度を検知するセンサと、前記センサを熱交換器に取付ける取付具とからなり、前記取付具は弾性に富む樹脂製で、熱交換器の配管を挟み込み、取付具を熱交換器に保持する保持部と、熱交換器側面最外側のフィンと冷媒配管の曲げ部の間に挿入時、センサをフィンに押し当てる方向に弾性力をもつ弾性部を有し、センサリード線を引っ掛ける、引っ掛け部を前記保持部または弾性部近傍に有することを特徴とする冷蔵庫。
【請求項４】
取付具にセンサリード線を収納する収納部を設けたことを特徴とする請求項１から請求項３のいずれか一項に記載の冷蔵庫。
【請求項５】
取付具のセンサリード線引き回し時に力のかかる部分を半円筒形状としたことを特徴とする請求項１から請求項４のいずれか一項に記載の冷蔵庫。
【発明の詳細な説明】
【技術分野】
【０００１】
本発明は冷蔵庫の熱交換器に取付けられる温度検出装置構造に関するものである。
【背景技術】
【０００２】
近年、冷蔵庫は省エネの観点から電子制御化が進み、熱交換器の温度をセンサにより検知し、最適な運転状況に制御したり、また、除霜用ヒータなどは冷却器センサにより、温度検知することにより、ヒータ通電時間を適切な時間に制御し、温度負荷を低減している。したがって、熱交換器にセンサを取付けることが一般的になっている。
【０００３】
従来の熱交換器にセンサを取付ける技術としては、熱良導部材により、熱交換器のフィン、フィン間に配管を固定部として取付けたもの（例えば、特許文献１参照）がある。
【０００４】
以下、図面を参照しながら上記従来の熱交換器にセンサを取付ける技術を説明する。
【０００５】
図４は従来の低温ショーケースの冷却器部分の拡大縦断側面図である。図４に示すように、除霜復帰センサ１は係るセンサ取付具２の保持部３の一面（上面）に挿入し、両側の押さえ辺４、を内側（保持部３側）に折曲させて保持させる。尚、５はセンサＳの抜けを防止するためのシリコンであり、６はセンサリード線である。このようにセンサ１を保持したセンサ取付具２を冷却器７の傾斜面８側の中央部分に位置する熱交換フィン９、９間に挿入する。そして、保持部３の下面（他面）を冷媒配管１０の上端に当接させると共に、一端の第１の係合部１１を上記冷媒配管１０より奥上方（保持部３の上面（一面）側）に位置する冷媒配管１０の下面に当接係合させる。更に、熱交換フィン１２の外側に位置している第２の係合部１３を下金具１４の外面に係合し、センサ取付具２を冷却器に取付ける。
【０００６】
以上のように構成された温度検出装置について、以下その動作を説明する。
【０００７】
保持部３の下面（他面）が熱交換フィン９、９間の冷媒配管１０に当接するセンサ取付け具２の上面（一面）に除霜復帰センサＳを保持させているので、除霜復帰センサ１を熱交換フィン９、９間に配設することができ、且つ、除霜復帰センサ１は熱良導性のセンサ取付具２を伝導して来る冷媒配管１０の温度を検出することができるようになる。
【特許文献１】特開平８−１００９９４号公報
【発明の開示】
【発明が解決しようとする課題】
【０００８】
しかしながら、センサはエポキシ樹脂で成型されたものが一般的であり、アルミニウムなどの熱良導性材料で保持すると表面が削れ易く作業性が悪い。また、フィン間に設置した場合、リード線がフィン端面に接触する為、二重安全構造をとらなくてはならなくなり、コストＵＰになり、原価力を失う。
【０００９】
本発明は上記従来の課題を解決するもので、センサ取付け具を樹脂部品とし、作業性を改善すると共に、熱交換器最外側のフィンの平面部にセンサを接触させることにより温度検知し、リード線をフィン端部に接触させず配線できる、低コストで安全な熱交換器の温度検知装置を有する冷蔵庫を提供することを目的とする。
【課題を解決するための手段】
【００１０】
上記従来の課題を解決するために、本発明の冷蔵庫は、熱交換器の温度を検知するセンサと、前記センサを熱交換器に取付ける取付具とからなり、前記取付具は弾性に富む樹脂製で、熱交換器の配管を挟み込み、取付具を熱交換器に保持する保持部と、熱交換器側面最外側のフィンと冷媒配管の曲げ部の間に挿入時、センサをフィンに押し当てる方向に弾性力をもつ弾性部とを有し、前記弾性部の取付具挿入方向側に傾斜を設けるものであり、弾性部の傾斜部を、配管曲げ部とフィン間に圧入することにより、センサを傷つけることなく、フィンにセンサを密着させることが可能となる。
【００１１】
また、本発明の冷蔵庫は、熱交換器の温度を検知するセンサと、前記センサを熱交換器に取付ける取付具とからなり、前記取付具は弾性に富む樹脂製で、熱交換器の配管を挟み込み、取付具を熱交換器に保持する保持部と、熱交換器側面最外側のフィンと冷媒配管の曲げ部の間に挿入時、センサをフィンに押し当てる方向に弾性力をもつ弾性部を有し、センサリード線出口部から３ｍｍ以上離れたところにガイドを有し、センサリード線の向きを変えたものであり、リード線根元部に応力をかけることなくリード線をフィン端部から離すことが可能でリード線がフィン端面に接触することを防止することができる。
【００１２】
また、本発明の冷蔵庫は、熱交換器の温度を検知するセンサと、前記センサを熱交換器に取付ける取付具とからなり、前記取付具は弾性に富む樹脂製で、熱交換器の配管を挟み込み、取付具を熱交換器に保持する保持部と、熱交換器側面最外側のフィンと冷媒配管の曲げ部の間に挿入時、センサをフィンに押し当てる方向に弾性力をもつ弾性部を有し、センサリード線を引っ掛ける、引っ掛け部を前記保持部または弾性部近傍に有するものであり、センサリード線を冷蔵庫本体と接続作業時にかかる力が冷却器に取付け部近くにかかるため、取付けが不安定にならず、センサをフィンに確実に接触させることができる。
【発明の効果】
【００１３】
本発明の冷蔵庫は、熱交換器にセンサを取付けることが容易となり作業性を向上することができる。また、熱交換器の温度を的確に検知でき、霜残りの発生や除霜時間の無用な延長による庫内温度上昇を未然に回避することができる。
【００１４】
また、センサ線出口部から３ｍｍ以上離れたところにガイドを有し、センサリード線の向きを変えることで、熱交換器の温度センサのリード線に関し、二重安全構造をとる必要がなく直材を低減できる。
【００１５】
また、センサリード線を引っ掛ける、引っ掛け部を前記保持部または、弾性部近傍に設けることで、熱交換器への温度センサの取付が安定する。
【発明を実施するための最良の形態】
【００１６】
請求項１に記載の発明は、複数枚の熱交換フィンに1往復以上する蛇行状の冷媒配管を貫通してなる熱交換器と、前記熱交換器の温度を検知するセンサと、前記センサを熱交換器に取付ける取付具とからなり、前記取付具は弾性に富む樹脂製で、熱交換器の配管を挟み込み、取付具を熱交換器に保持する保持部と、熱交換器側面最外側のフィンと冷媒配管の曲げ部の間に挿入時、センサをフィンに押し当てる方向に弾性力をもつ弾性部とを有し、前記弾性部の取付具挿入方向側に傾斜を設けるものであり、センサを傷つけることなく取付具に取付けることができ、作業性を良くする。また、弾性部の傾斜部により、熱交換器に取付けることが容易であるとともに、材料の弾性により、配管曲げ部とフィン間に圧入することにより、フィンにセンサを密着させることが可能となり、熱交換器の温度を的確に検知できる。
【００１７】
請求項２に記載の発明は、複数枚の熱交換フィンに1往復以上する蛇行状の冷媒配管を貫通してなる熱交換器と、前記熱交換器の温度を検知するセンサと、前記センサを熱交換器に取付ける取付具とからなり、前記取付具は弾性に富む樹脂製で、熱交換器の配管を挟み込み、取付具を熱交換器に保持する保持部と、熱交換器側面最外側のフィンと冷媒配管の曲げ部の間に挿入時、センサをフィンに押し当てる方向に弾性力をもつ弾性部を有し、センサリード線出口部から３ｍｍ以上離れたところにガイドを有し、センサリード線の向きを変えたものであり、リード線根元部に応力をかけることなくリード線をフィン端部から離すことが可能でリード線がフィン端面に接触することを防止することができ、二重安全構造をとる必要がなく直材を低減できる。
【００１８】
請求項３に記載の発明は、複数枚の熱交換フィンに1往復以上する蛇行状の冷媒配管を貫通してなる熱交換器と、前記熱交換器の温度を検知するセンサと、前記センサを熱交換器に取付ける取付具とからなり、前記取付具は弾性に富む樹脂製で、熱交換器の配管を挟み込み、取付具を熱交換器に保持する保持部と、熱交換器側面最外側のフィンと冷媒配管の曲げ部の間に挿入時、センサをフィンに押し当てる方向に弾性力をもつ弾性部を有し、センサリード線を引っ掛ける、引っ掛け部を前記保持部または弾性部近傍に有するものであり、センサリード線を冷蔵庫本体と接続作業時にかかる力が冷却器に取付け部近くにかかるため、取付けが不安定にならず、センサがフィンに接触させることができ、熱交換器の温度を的確に検知できる。
【００１９】
請求項４に記載の発明は、請求項１から請求項３のいずれか一項に記載の発明において、取付具にセンサリード線を収納する収納部を設けたものであり、フィンを他の熱交換器と共用化したときに開く配管貫通用穴などの端面にリード線が接触することを防止でき、フィンの共用化を可能にするとともに、二重安全構造をとる必要がなく直材を低減することができる。
【００２０】
請求項５に記載の発明は、請求項１から請求項４のいずれか一項に記載の発明において、取付具のセンサリード線引き回し時に力のかかる部分を半円筒形状としたものであり、リード線の傷付きを防止することができ、二重安全構造をとる必要がなく直材を低減することができる。
【００２１】
以下、本発明の実施の形態について、図面を参照しながら説明する。なお、この実施の形態によってこの発明が限定されるものではない。
【００２２】
（実施の形態１）
図１は、本発明の実施の形態１による冷蔵庫の中央断面図である。図２は、同実施の形態の熱交換器の部分拡大斜視図である。図３は、同実施の形態のセンサ取付け部の断面図である。
【００２３】
図１において、３０は冷蔵庫本体であって、樹脂製の内箱３１と鋼鈑製の外箱３２の間に発泡断熱材３３を充填し、断熱箱体を形成している。３４は冷却器（熱交換器）であり、貯蔵室３５の背面に仕切り板３６により仕切られて設置されており、冷却した空気は送風機により送られ、各貯蔵室３５に送給される。冷却器３４の下方には除霜用ヒータ３７を配置し、除霜水は排水路３８を流れ、冷蔵庫外に排出される。３９は除霜復帰センサであり、取付具４０により、冷却器３４の最外側のフィン３４ａの外側に取付けられている。
【００２４】
図２において、３４は冷却器であり、複数の熱交換用フィン３４ａと冷媒配管３４ｂにより構成されている。４０は除霜センサ取付具で、除霜復帰センサ３９を取付ける取付部４１と取付具４０を冷却器３４に保持する保持部４２とセンサをフィンに押し当てる方向に弾性力をもつ弾性部４３を有し、前記弾性部４３の取付具挿入方向側に傾斜部４３ａを有する。センサリード線４４はセンサ根元から５ｍｍの位置に構成したガイド４５により向きを１８０度変え、リード線収納部４６に収納され、弾性部４３近傍に構成した引っ掛け部４７を通過し、冷蔵庫本体と結束される（図示しない）。また、配設部の引っ掛け部近傍には半円筒形状４６を構成している。
【００２５】
図３において、センサ取付部４１は冷却器のフィン３４ａ側を開放する箱形状あり、センサ３９はフィン３４ａ側に箱から突出するよう当接部４１ａと爪４１ｂにより取付具４０に固定されている。保持部４２は冷媒配管３４ｂと略同一形状で、挿入側に冷媒配管３４ｂ直径より、小さい寸法の開放部４２ａを有している。弾性部４３は最外側のフィン３４ａと冷媒配管３４ｂの間の寸法Ｌ１より大きい寸法Ｌ２を有する。
【００２６】
以上のように構成された冷蔵庫について、以下その動作を説明する。
【００２７】
冷蔵庫運転時には冷却器３４には貯蔵室内の湿った空気が通過し、着霜し成長していくが、例えば１２時間毎の午前８時或いは午後８時になると、図示しない制御装置により、圧縮機を停止して除霜用ヒータ３７に通電して発熱させ、除霜を開始する。係る除霜用ヒータ３７の発熱により冷却器３４は過熱され、着霜は徐々に融解されて行く。そして、除霜復帰センサ３９の検出する温度が＋１２℃まで上昇すると前記制御装置は除霜用ヒータ３７の通電を停止し、再び冷却運転に復帰する。
【００２８】
このとき、除霜終了を検知するセンサ３９は取付具４０により冷却器３４に取付けられおり、弾性部４３に挿入方向に傾斜部４３ａを有する為、フィンと冷媒配管の間の寸法Ｌ１に対し、弾性部の寸法Ｌ２を例えば1ｍｍ大きくとっても、挿入しやすく、且つフィン３４ａにセンサ３９を安定して押し付けることが可能となり、除霜終了温度を的確に検出することができるので、霜残りの発生や除霜時間の無用な延長による庫内温度上昇を未然に回避することができるようになる。
【００２９】
また、センサリード線４４はガイド４５によりリード線４４の根元に応力をかけずに向きを変えており、センサの品質を維持できると共に、リード線４４がフィン３４ａの端面に接触しないため二重安全の対策を必要とせず、保護チューブなどの追加部品を必要としない。
【００３０】
また、リード線４４は収納部４６収納されているためフィン３４ａと接触することがなく、フィン３４ａに穴や切り欠き部を有しても端面に接触することがなく、二重安全の対策を必要としない。そこで、フィン３４ａは冷媒配管３４ｂ用の貫通穴をあけてもよくなり、他の熱交換器と共用化することが可能となり、材料費を低減できる。
【００３１】
また、リード線引っ掛け部４７を弾性部４３近傍に配置することにより、冷蔵庫本体へのリード線４４結束時に力がかかっても、安定して、センサ３９をフィン４２ａに押し当てることができ、除霜終了温度を的確に検出することができる。
【００３２】
また、配設部の半円筒形状４８はリード線の狭小部への配設作業時にリード線４４に力がかかることによる、傷付きを防止し、作業性を向上させると共に、不良品の発生を防止することができる。
【産業上の利用可能性】
【００３３】
以上のように、本発明にかかる冷蔵庫は、熱交換器にセンサを取付けることが容易となり作業性を向上することができ、また、熱交換器の温度を的確に検知できるので、冷却器に限定されることなく、温度検出装置を用いる冷蔵庫等の技術分野として有用である。
【図面の簡単な説明】
【００３４】
【図１】本発明による冷蔵庫の実施の形態１の断面図
【図２】同実施の形態の熱交換器部分の拡大斜視図
【図３】同実施の形態のセンサ取付け部の断面図
【図４】従来の低温ショーケースの冷却器部分の拡大縦断面側面図
【符号の説明】
【００３５】
３４    冷却器（熱交換器）
３４ａ    フィン
３４ｂ    配管
３９    センサ
４０    取付具
４２    保持部
４３    弾性部
４３ａ    傾斜部
４４    リード線
４５    ガイド
４７    引っ掛け部
４８    半円筒形状
【図１】
2005055054.tif 000003
【図２】
2005055054.tif 000004
【図３】
2005055054.tif 000005
【図４】
2005055054.tif 000006